(57)【要約】【課題】公共の施設、ホテルの床面タイルに点字突起体を設けることができ、経済的な視覚障害者用点字タイル、及びその製造方法を提供することを課題とする。【解決手段】公共の施設、ホテルの床、又は路面等に設けられ、平面矩形状の床用タイルと、該床用タイルに突起した点字突起体とから構成された視覚障害者の歩行を誘導、警告、又は補助するためのた視覚障害者用点字タイルであって、床用タイルには、複数の孔が穿設され、該孔には点字突起体を形成する別体の点字鋲が取り付けられているいることである。【選択図】　　　　　　　図１
2004132147.tif 000002
【特許請求の範囲】
【請求項１】
公共の施設、ホテルの床、又は路面等に設けられ、平面矩形状の床用タイルと、該床用タイルに突起した点字突起体とから構成された視覚障害者の歩行を誘導、警告、又は補助するためのた視覚障害者用点字タイルであって、床用タイルには、複数の孔が穿設され、該孔には点字突起体を形成する別体の点字鋲が取り付けられているいることを特徴とする視覚障害者用点字タイル。
【請求項２】
前記点字鋲が略円形状の鋲本体と、鋲本体に設けられた円錐状の脚体とからなり、しかも脚体の下方側近傍にはリング状に切込部が形成され、且つ切込部には床用タイルに点字鋲を取り付けるための抜止体が強制嵌合されている請求項１記載の視覚障害者用点字タイル。
【請求項３】
前記抜止体が、ゴム等の弾性体で構成されたＯリング、又はアイオノマー樹脂で構成されたリング体である請求項２記載の視覚障害者用点字タイル。
【請求項４】
公共の施設、ホテルの床、又は路面等に敷設し、視覚障害者の歩行を誘導、警告、又は補助する視覚障害者用点字タイルを製造する視覚障害者用点字タイルの製造方法であって、床用タイルに複数の孔を連続して穿孔し、その後点字突起体となる点字鋲の脚体を床用タイル表面側の孔より挿入し、床用タイルの裏面側で挿入された脚体２に抜止体を強制嵌合することで床用タイルに複数の点字鋲が形成された視覚障害者用点字タイルを予め製造することを特徴とする視覚障害者用点字タイルの製造方法。
【発明の詳細な説明】
【０００１】
【発明の属する技術分野】本発明は、点字用の突起体の設けられた視覚障害者誘導用点字タイルに関し、特に床面に敷設された床用タイルに点字鋲を設けることで構成された視覚障害者用点字タイル、及びその製造方法に関するものである。
【０００２】
【従来の技術】
例えば、公共の施設、ホテルの床面には視覚障害者誘導用の点字鋲を設けることが義務付けられている。この視覚障害者誘導用の点字鋲は、平面矩形状の樹脂性ブロックを敷設する場合、又は床面に孔を穿孔した後、直接点字鋲を取り付ける場合がある。特に近年は美観を重視するために、床面に直接孔を穿孔した後、点字鋲を取り付ける。
【０００３】
上記床面の材質として近年床用タイルが敷設されている場合が多く、この床用タイルに点字鋲を取り付ける必要が生じた。この床用タイルへの点字鋲の取り付けは、現場で敷設された床用タイルに直接ドリルで複数の孔を穿設した後、該孔に接着剤を充填し鋲本体の下面部に設けられた棒状の脚体を挿入することで床用タイルへ点字鋲を取り付けていた。
【０００４】
しかしながら、床面に敷設された床用タイルに孔を直接穿孔すると、床用タイル、及び床用タイルの下面が硬質であるためにドリルによる衝撃を吸収することができず、穿孔作業時に床用タイルが破損する場合が多く発生した。
このため、破損した床用タイルを順次取り替えなければならず、点字鋲取り付けの作業の効率が悪化し、施工にかかるコストが増大することとなった。
【０００５】
また、点字鋲が床用タイルの孔に接着剤で取り付けられているために、通行者による衝撃等で床用タイルの孔より離脱することが多々あり耐久性の面で問題があった。
【０００６】
そこで、点字突起体を一体に形成した床用タイルが考案された。この床用タイルは床面に通常のタイルと同様に敷設するだけで、点字鋲を床面に施工することができる。
【０００７】
【発明が解決しようとする課題】
しかしながら、上記従来の点字突起体を一体に形成した床用タイルは、従来の床用タイルより突起体の高さ分厚さのあるタイルを予め作成する工程、突起部分を削り取る工程等、通常の床用タイルより製造工程が増加するために、その製造コストが高くなると欠点があった。
【０００８】
さらに、大きな問題点が美観を重視するはずの床用タイルの種類が、上記工程で製造するために限定されることとなり、その結果使用（床面への施工）範囲が限定されることとなった。
【０００９】
そこで、本発明は、これらの問題を解消し、あらゆる床面タイルに点字突起体を設けることができ、経済的な視覚障害者用点字タイル、及びその製造方法を提供することを課題とする。
【００１０】
【課題を解決するための手段】
即ち、本発明は上記課題を解決するために、請求項１に記載のように、公共の施設、ホテルの床、又は路面等に設けられ、平面矩形状の床用タイルと、該床用タイルに突起した点字突起体とから構成された視覚障害者の歩行を誘導、警告、又は補助するためのた視覚障害者用点字タイルであって、床用タイルには、複数の孔が穿設され、該孔には点字突起体を形成する別体の点字鋲が取り付けられているいることを特徴とする。
【００１１】
また、請求項２に記載のように、点字鋲が略円形状の鋲本体と、鋲本体に設けられた円錐状の脚体とからなり、しかも脚体の下方側近傍にはリング状に切込部が形成され、且つ切込部には床用タイルに点字鋲を取り付けるための抜止体が強制嵌合されていることである。
【００１２】
また、請求項３に記載のように、抜止体が、ゴム等の弾性体で構成されたＯリング、又はアイオノマー樹脂で構成されたリング体である。
【００１３】
さらに、請求項４に記載のように、公共の施設、ホテルの床、又は路面等に敷設し、視覚障害者の歩行を誘導、警告、又は補助する視覚障害者用点字タイルを製造する視覚障害者用点字タイルの製造方法であって、床用タイルに複数の孔を連続して穿孔し、その後点字突起体となる点字鋲の脚体を床用タイル表面側の孔より挿入し、床用タイルの裏面側で挿入された脚体２に抜止体を強制嵌合することで床用タイルに複数の点字鋲が形成された視覚障害者用点字タイルを予め製造することを特徴とする。
【００１４】
【作用】
即ち、本発明の視覚障害者用点字タイルは、予め、工場等で床用タイルに複数の孔を連続して穿孔した後、点字突起体となる点字鋲の脚体を床用タイル表面側の前記孔より挿入し床用タイル裏面側で、脚体２に樹脂製、又はゴム等の弾性体よりなるＯリングを強制嵌合することを繰り返すことで床用タイルに複数の点字鋲の取り付けられた視覚障害者用点字タイルを製造する。
【００１５】
そして、製造された視覚障害者用点字タイルを現場へ持ち込み、他の床用タイルと同様に床面に施工することで、容易に連続した視覚障害者用点字タイルを敷設することができる。
【００１６】
このように、予め床用タイルに、複数の孔を穿設した後点字鋲を取り付けて視覚障害者用点字タイルを製造することにより、あらゆる種類の床用タイルに対応することができ、美観を必要とする床面に適応することができるとともに、視覚障害者用点字タイルの施工を簡略化することができる。
【００１７】
【実施の態様】
以下、本発明の視覚障害者用点字タイルの一実施例を図面に沿って説明する。図１は、本発明の視覚障害者用点字タイルを示す概略平面図であり、図２は床用タイルに取り付ける点字鋲を示し、（イ）は点字鋲本体を示す概略側面図、（ロ）は抜止体としてのＯリングを示す概略平面図、（ハ）は点字鋲本体を示す概略平面図であり、図３は、床用タイルに取り付けられた点字鋲を示す概略断面図である。
【００１８】
本発明の視覚障害者用点字タイル１は、略矩形状の床面タイル２と、該床面タイル２に穿孔された複数の孔３に設けられた点字鋲４とから構成されている。
【００１９】
前記床面タイル２は、施工する床面タイルと同様の床面タイルを予め取り寄せたもので、その種類、形状はそれぞれの施工面に沿って決定されるものである。また、穿孔する孔３は、床面タイル２の表面側２ａが裏面側２ｂより幅狭に穿孔されている。
【００２０】
前記点字鋲４は、周縁部分５ａが外側下方に傾斜した略円形状の鋲本体５と、該鋲本体５の裏面略中央部に設けられ、先端部側近傍外周にリング状に切込部６の形成された円柱状の脚体７と、該脚体７の切込部６に強制嵌入して床面タイル２よりの離脱を防止するための抜止体８としてのＯリングとから構成されている。
【００２１】
前記鋲本体５、及び脚体７は通常使用される樹脂、金属、又は特に耐久性に優れたアイオノマー樹脂で構成されている。
【００２２】
前記抜止体８は、ゴム等の弾性体で構成したが、本発明において抜止体８をＯリングで形成することは必須のことではなく、例えば略Ｃ字上のワッカをアイオノマー樹脂で構成することも可能である。
【００２３】
尚、アイオノマー樹脂はポリエチレンの分子鎖にカルボン酸基の側鎖があり、そのカルボン酸基の一部が金属陽イオンによって分子鎖間で架橋されている構造をもっており、この二つの構造上の特徴によって多くの優れた性質が生まれます。特に、金属イオンによる架橋結合は、一般に化学結合による架橋と異なって、熱によって結合力が変わり、加熱することにより結合力が弱くなり、冷却すると強くなる特徴があります。このため、従来の熱可塑性ポリウレタン樹脂、アクリル、ポリカーボネート等に比し耐久性に優れた樹脂であり、架橋の存在のために溶融時でも溶融強度、溶融延伸性といった点で低密度ポリエチレンより優れ、固化した状態ではイオン結合がさらに強くなるために、強靱性が大きくなる。
【００２４】
前記脚体７の長さは、取り付ける床面タイル２の厚さによりその長さが決定され、また脚体７の径は、床面タイル２に穿孔される孔３の径により決定されるものである。
【００２５】
本発明の視覚障害者用点字タイル１は上記のように構成されている。
次に、視覚障害者用点字タイル１を製造する場合について説明する。
【００２６】
先ず、施工する床面タイル２を工場に取り寄せ、該床面タイル２に複数のドリルの設けられた穿孔装置（図示せず）で、連続した孔３…を順次穿孔した後、点字鋲４の脚体７を床面タイル２表面側２ａより穿孔した孔３に挿入し、床面タイル２の裏面側２ｂで抜止体８であるＯリングを該脚体７のリング状の切込部６に強制的に嵌入することで、視覚障害者用点字タイル１を製造する。
【００２７】
この際、孔３は床面タイル２の表面側２ａが裏面側２ｂより幅狭に形成されているために、前記抜止体８であるＯリングは、切込部６と孔３の形状により２重に抜止の防止効果があることとなる。
【００２８】
さらに、専用の穿孔装置で床面タイル２に孔３を穿孔するために穿孔時に床面タイル２が破損することがない。（例えば、床面タイル２を水に浸した状態で穿孔すると水がドリルの衝撃を吸収する。また、ドリルをウォーム押力で押圧しながら穿孔する。）
【００２９】
次に、上記のように製造された視覚障害者用点字タイル１は、所定枚数毎に施工する現場へ搬送する。
【００３０】
そして、床面に沿って、通常のタイルの施工と同様にして視覚障害者用点字タイル１を敷設することに施工することができる。
このため、特に点字鋲取り付けの施工作業を必要することがないので、施工にかかるコストの低減、さらに施工時間の短縮を可能とすることとなる。
【００３１】
また、予め床面タイル２に点字鋲４を取り付けるために、どのようなタイルに対しても施工が可能であり、美観を重視する床面に対して容易に対応することができる。
【００３３】
【発明の効果】
従って、本発明による視覚障害者用点字タイルは、予め床面タイルに点字鋲を取り付けて製造されているために、現場での施工が容易であり、作業時間の短縮を図ることができるという利点がある。
【００３４】
また、予め床面タイルに孔を穿孔するために、穿孔時に床面タイルを破損することがなく穿孔することができコストの低減を図ることができるとともに、あらゆる種類の床面タイルに対応することができるので、美観を重視するホテル等の床面に対応することが可能である。
【図面の簡単な説明】
【図１】は、本発明の視覚障害者用点字タイルを示す概略平面図である。
【図２】は、床用タイルに取り付ける点字鋲を示し、（イ）は点字鋲本体を示す概略側面図、（ロ）は抜止体としてのＯリングを示す概略平面図、（ハ）は点字鋲本体を示す概略平面図である。
【図３】は、床用タイルに取り付けられた点字鋲を示す概略断面図である。
【符号の説明】
１…視覚障害者用点字タイル
２…床面タイル
７…脚体
８…抜止体
【図１】
2004132147.tif 000003
【図２】
2004132147.tif 000004
【図３】
2004132147.tif 000005